(57)【要約】  【課題】  原稿台に載置された複数枚の原稿を一度に読取って処理する画像読取装置及び画像記録装置の提供。  【解決手段】  原稿検出センサ又は原稿サイズ検出センサのセンサ出力を取得した場合（Ｓ１１）、原稿台に載置されている原稿枚数をカウントする（Ｓ１２）。原稿台に複数の原稿が載置されていると判断した場合（Ｓ１３：ＹＥＳ）、制御部は、読取り順序の設定を行い（Ｓ１４）、設定した読取り順序に従って原稿の読取処理を行う（Ｓ１５）。全原稿の読取りが完了したと判断した場合（Ｓ１６：ＹＥＳ）、制御部は、出力方式の設定を行い（Ｓ１７）、出力処理を実行する（Ｓ１８）。【選択図】      図８
2007013468.tif 000002
【特許請求の範囲】
【請求項１】
原稿を載置すべき原稿台、及び該原稿台に載置された原稿から画像を読取る読取手段を備え、複数の読取方式にて画像の読取りが可能な画像読取装置であって、
前記原稿台に載置された原稿を検出する複数の検出手段と、各検出手段の検出状況に応じて画像の読取方式を決定する手段とを備え、該手段により決定した読取方式にて画像を読取るようにしてあることを特徴とする画像読取装置。
【請求項２】
前記原稿台は長方形であり、前記原稿台の各隅の近傍に載置された原稿を検出すべく前記検出手段を設けてあることを特徴とする請求項１に記載の画像読取装置。
【請求項３】
前記読取方式は、１又は複数の原稿を１つの画像として読取る方式、又は複数の原稿から夫々の画像を個別に読取る方式の何れか一方であることを特徴とする請求項１又は請求項２に記載の画像読取装置。
【請求項４】
各検出手段の検出結果に基づいて前記原稿台に載置された原稿の枚数を特定する手段を備えることを特徴とする請求項１乃至請求項３の何れか１つに記載の画像読取装置。
【請求項５】
原稿の読取り順序を記憶する手段を備え、前記原稿台に載置された原稿が複数である場合、前記手段に記憶されている読取り順序に従って原稿の画像を読取るようにしてあることを特徴とする請求項４に記載の画像読取装置。
【請求項６】
原稿の読取り順序の設定を受付ける手段を備え、前記原稿台に載置された原稿が複数である場合、前記手段にて設定された読取り順序に従って原稿の画像を読取るようにしてあることを特徴とする請求項４に記載の画像読取装置。
【請求項７】
前記検出手段の一部は、前記原稿台に載置された原稿の寸法を検出する手段であることを特徴とする請求項１乃至請求項６の何れか１つに記載の画像読取装置。
【請求項８】
請求項１乃至請求項７の何れか１つに記載の画像読取装置と、該画像読取装置が読取った画像をシート上に記録する手段とを備えることを特徴とする画像記録装置。
【請求項９】
前記画像を記録する際の記録方式を記憶する手段を備え、該手段に記憶されている記録方式に従って前記画像を記録するようにしてあることを特徴とする請求項８に記載の画像記録装置。
【請求項１０】
前記画像を記録する際の記録方式の設定を受付ける手段を備え、該手段にて設定された記録方式に従って前記画像を記録するようにしてあることを特徴とする請求項８に記載の画像記録装置。
【請求項１１】
前記記録方式は、シートの片面に画像を記録する方式、シートの片面に複数の画像を記録する方式、シートの両面に画像を記録する方式、又は画像をデータとして記録する方式の何れかであることを特徴とする請求項９又は請求項１０に記載の画像記録装置。
【発明の詳細な説明】
【技術分野】
【０００１】
本発明は、原稿台に載置された複数枚の原稿を一度に読取って処理する画像読取装置及び画像記録装置に関する。
【背景技術】
【０００２】
従来の複写機における原稿読取装置では、原稿の読取りの際、原稿台又は自動原稿搬送装置を利用して原稿の読取りを行う。原稿台を利用して複数枚の原稿の読取りを行い、１枚の用紙に複数ページ分の画像を出力する場合、整列された出力を得るためには、利用者は原稿をずれないように並べる必要があった。そのため、きれいに整列して並べるのに時間がかかり、利用者にとって不便であった。
【０００３】
そこで、特許文献１に記載された原稿読取装置では、自動原稿読取装置を使用して、搬送時に２枚の原稿を原稿台に整列することで、２枚の原稿を１枚の用紙に整列して出力する手法を提案している。
【０００４】
また、特許文献２に記載された原稿読取装置では、原稿台に無造作に載置された複数の原稿をまとめて１枚の画像として読取り、その画像から原稿エッジの検出を行い、矩形原稿の場合は、スキュー補正を行うことで、入力画像からそれぞれの原稿を抽出し、その後出力処理を行っていた。
【特許文献１】特開平７−２３９５８６号公報
【特許文献２】特開２００２−１００５９号公報
【発明の開示】
【発明が解決しようとする課題】
【０００５】
しかしながら、特許文献１に記載された手法では、自動原稿読取装置が必要となる上に、原稿の置き方自体は通常コピーと同じであり、前述した読取手法にて原稿の読取りを行う場合、利用者は必ず手動でモード設定する必要となり、利用者にとって煩わしさを与えるという問題点を有していた。
【０００６】
また、特許文献２に記載された手法では、原稿配置は任意であるが、一旦原稿台全体の画像をバッファ上に持ち、その画像に対してエッジ検出処理、切出し処理、切出した画像のスキュー補正等を行う必要があり、多くのメモリ資源及びＣＰＵ資源が占有されることになるという問題点を有していた。
【０００７】
本発明は斯かる事情に鑑みてなされたものであり、原稿台に載置された原稿を検出する複数の検出手段を備え、各検出手段の検出状況に応じて画像の読取方式を決定する構成とすることにより、利用者によるモード設定を受付けることなく、例えば、複数の原稿を１つの画像として読取る方式と、複数の原稿からそれぞれの画像を個別に読取る方式との使い分けが可能な画像読取装置及び画像記録装置を提供することを目的とする。
【０００８】
本発明の他の目的は、原稿台を長方形とし、原稿台の各隅の近傍に載置された原稿を検出するための検出手段を設ける構成とすることにより、多くのメモリ資源及びＣＰＵ資源を占有することなく、複数の原稿からそれぞれの画像を個別に読取ることが可能な画像読取装置及び画像記録装置を提供することにある。
【課題を解決するための手段】
【０００９】
本発明に係る画像読取装置は、原稿を載置すべき原稿台、及び該原稿台に載置された原稿から画像を読取る読取手段を備え、複数の読取方式にて画像の読取りが可能な画像読取装置であって、前記原稿台に載置された原稿を検出する複数の検出手段と、各検出手段の検出状況に応じて画像の読取方式を決定する手段とを備え、該手段により決定した読取方式にて画像を読取るようにしてあることを特徴とする。
【００１０】
本発明にあっては、原稿台に載置された原稿を検出する複数の検出手段を備え、各検出手段の検出状況に応じて画像の読取方式を決定するようにしているため、検出手段によって検出される原稿枚数及び原稿の載置状況に応じて自動的に読取方式が定まる。
【００１１】
本発明に係る画像読取装置は、前記原稿台は長方形であり、前記原稿台の各隅の近傍に載置された原稿を検出すべく前記検出手段を設けてあることを特徴とする。
【００１２】
本発明にあっては、長方形の原稿台を用いており、原稿台の各隅の近傍に載置された原稿を検出するために検出手段を設けてあるため、原稿の載置位置が明確になると共に、整列させた状態での原稿載置が容易となる。
【００１３】
本発明に係る画像読取装置は、前記読取方式は、１又は複数の原稿を１つの画像として読取る方式、又は複数の原稿から夫々の画像を個別に読取る方式の何れか一方であることを特徴とする。
【００１４】
本発明にあっては、読取方式として、１又は複数の原稿を１つの画像として読取る方式、又は複数の原稿から夫々の画像を個別に読取る方式の何れか一方を採用する。
【００１５】
本発明に係る画像読取装置は、各検出手段の検出結果に基づいて前記原稿台に載置された原稿の枚数を特定する手段を備えることを特徴とする。
【００１６】
本発明にあっては、検出手段の検出結果に基づいて原稿台に載置されている原稿の枚数を特定するようにしているため、例えば、複数の原稿が検出された場合、各原稿から夫々の画像を個別に読取る方式を自動設定することが可能となる。
【００１７】
本発明に係る画像読取装置は、原稿の読取り順序を記憶する手段を備え、前記原稿台に載置された原稿が複数である場合、前記手段に記憶されている読取り順序に従って原稿の画像を読取るようにしてあることを特徴とする。
【００１８】
本発明にあっては、記憶されている読取り順序に従って原稿の画像を読取るようにしているため、例えば、予め設定されている読取り順序にて画像を読取ることが可能であり、また、直前に使用された設定を引き継いで画像を読取ることも可能である。
【００１９】
本発明に係る画像読取装置は、原稿の読取り順序の設定を受付ける手段を備え、前記原稿台に載置された原稿が複数である場合、前記手段にて設定された読取り順序に従って原稿の画像を読取るようにしてあることを特徴とする。
【００２０】
本発明にあっては、利用者によって設定された読取り順序に従って原稿の画像が読取られる。
【００２１】
本発明に係る画像読取装置は、前記検出手段の一部は、前記原稿台に載置された原稿の寸法を検出する手段であることを特徴とする。
【００２２】
本発明にあっては、原稿の寸法を検出する手段と原稿の有無を検出する検出手段とを共用することが可能となる。
【００２３】
本発明に係る画像記録装置は、前述した何れか１つに記載の画像読取装置と、該画像読取装置が読取った画像をシート上に記録する手段とを備えることを特徴とする。
【００２４】
本発明にあっては、画像読取装置にて読取った画像をシート上に記録する手段を備えているため、複写機、デジタル複合機等の画像形成装置への適用が可能となる。
【００２５】
本発明に係る画像記録装置は、前記画像を記録する際の記録方式を記憶する手段を備え、該手段に記憶されている記録方式に従って前記画像を記録するようにしてあることを特徴とする。
【００２６】
本発明にあっては、記憶されている記録方式にて画像を記録するようにしているため、例えば、予め設定されている記録方式にて画像を記録することが可能であり、また、直前に使用された設定を引き継いで画像を記録することも可能である。
【００２７】
本発明に係る画像記録装置は、前記画像を記録する際の記録方式の設定を受付ける手段を備え、該手段にて設定された記録方式に従って前記画像を記録するようにしてあることを特徴とする。
【００２８】
本発明にあっては、利用者によって設定された記録方式に従って画像が記録される。
【００２９】
本発明に係る画像記録装置は、前記記録方式は、シートの片面に画像を記録する方式、シートの片面に複数の画像を記録する方式、シートの両面に画像を記録する方式、又は画像をデータとして記録する方式の何れかであることを特徴とする。
【００３０】
本発明にあっては、記録方式として、シートの片面に画像を記録する方式、シートの片面に複数の画像を記録する方式、シートの両面に画像を記録する方式、又は画像をデータとして記録する方式の何れかを採用する。
【発明の効果】
【００３１】
本発明による場合は、原稿台に載置された原稿を検出する複数の検出手段を備え、各検出手段の検出状況に応じて画像の読取方式を決定するようにしている。したがって、検出手段によって検出される原稿枚数及び原稿の載置状況に応じて自動的に読取方式が定まることとなり、自動原稿搬送装置が搭載されていない場合であっても複数ページの自動原稿読取りが可能となる。
【００３２】
本発明による場合は、長方形の原稿台を用いており、原稿台の各隅の近傍に載置された原稿を検出するために検出手段を設けている。したがって、複数の原稿を原稿台の４隅を利用して配置することにより、複数ページの自動原稿読取りが可能となる。
【００３３】
本発明による場合は、読取方式として、１又は複数の原稿を１つの画像として読取る方式、又は複数の原稿から夫々の画像を個別に読取る方式の何れか一方を採用する。したがって、従来のように複数の原稿を１枚の原稿として読取らせることも可能であり、複数ページとして読取らせることも可能である。
【００３４】
本発明による場合は、検出手段の検出結果に基づいて原稿台に載置されている原稿の枚数を特定するようにしている。したがって、例えば、複数の原稿が検出された場合、各原稿から夫々の画像を個別に読取る方式を自動設定することが可能となる。
【００３５】
本発明による場合は、記憶されている読取り順序に従って原稿の画像を読取るようにしているため、例えば、予め設定されている読取り順序にて画像を読取ることが可能であり、また、直前に使用された設定を引き継いで画像を読取ることも可能である。したがって、利用者が読取り順序を設定しない場合であっても読取処理が可能となり、利用者の操作負担を減らすことができる。
【００３６】
本発明による場合は、利用者によって設定された読取り順序に従って原稿の画像が読取られるため、利用者の望んだ状態で処理が可能となる。
【００３７】
本発明による場合は、原稿の寸法を検出する手段と原稿の有無を検出する検出手段とを共用することが可能となり、これらの手段を用いて原稿台上の原稿の枚数、原稿の載置状況を検出することができる。
【００３８】
本発明による場合は、画像読取装置にて読取った画像をシート上に記録する手段を備えているため、複写機、デジタル複合機等の画像形成装置への適用が可能となる。
【００３９】
本発明による場合は、記憶されている記録方式にて画像を記録するようにしてあるため、例えば、予め設定されている記録方式にて画像を記録することが可能であり、また、直前に使用された設定を引き継いで画像を記録することも可能である。したがって、利用者が記録方式を設定しない場合であっても処理が可能となり、利用者の操作負担を減らすことができる。
【００４０】
本発明による場合は、利用者によって設定された記録方式に従って画像が記録されるため、利用者の望んだ状態で画像が出力される。
【００４１】
本発明による場合は、記録方式として、シートの片面に画像を記録する方式、シートの片面に複数の画像を記録する方式、シートの両面に画像を記録する方式、又は画像をデータとして記録する方式の何れかを採用する。
【発明を実施するための最良の形態】
【００４２】
以下、本発明に係る画像読取装置及び画像記録装置をスキャナ機能、コピー機能、プリンタ機能等を有するデジタル複合機に適用した形態について図面を用いて具体的に説明する。
図１はスキャナ機能を利用して複数の原稿を読み取る際の原稿の配置例を説明する模式図である。本実施の形態に係るデジタル複合機は、画像読取装置１０及び画像記録装置２０を備えている（図７参照）。画像読取装置１０は、適宜の面積を有するガラス製の原稿台１を備えており、例えば、Ａ４サイズの原稿を２枚、Ｂ５サイズの原稿を４枚載置できるようにしている。図１（ａ）は、原稿台１に対して２枚の原稿を載置している様子を示している。この場合、２枚の原稿が互いに接するように整列された状態で原稿台１に載置されており、画像読取装置１０がこれらの原稿を読取る場合、各原稿の画像を合わせた１つの画像として読取る。すなわち、２枚の原稿が載置されている場合であっても、それぞれの原稿の画像を個別に読取ることがないため、画像読取装置１０では１つの画像データが生成されることとなる。
【００４３】
それに対し、図１（ｂ）に示した配置例では、２枚の原稿を互いに離隔させて原稿台１に載置している。特に、１枚目の原稿は原稿台１の左上隅に合わせて載置されており、２枚目の原稿は原稿台１の右上隅に合わせて載置されている。このような状態で２枚の原稿が載置されている場合、本実施の形態の画像読取装置１０は、各原稿の画像を個別に読み取るようにしている。すなわち、原稿台１を利用して２枚の原稿を読み取る場合、従来であれば、１枚目の原稿を原稿台１の左上隅に合わせて載置した後に原稿の読取処理を行い、次に１枚目の原稿を取り除いて２枚目の原稿を同じように載置し、再度、原稿の読取処理を実行する必要があったが、本実施の形態では、図１（ｂ）に示した如く２枚の原稿を載置することによって同様の読取処理が１度で実行できるようにしている。なお、本明細書では、原稿台１を利用する利用者から見て原稿台１の手前側を「下」、奥側を「上」と表現するようにしている。
【００４４】
２枚以上の原稿を載置する場合も同様である。図１（ｃ）の配置例では、４枚の原稿を隙間なく配置させて原稿台１に載置している様子を示している。この場合、従来と同様に４枚の原稿の画像を個別に読み取ることなく、各原稿の画像を合わせた１つの画像として原稿の読取処理を行う。それに対し、図１（ｄ）に示した配置例では、原稿台１の４隅にそれぞれの原稿を合わせて載置することにより、互いに離隔した状態で配置している。このような状態で４枚の原稿が載置されている場合、本実施の形態の画像読取装置１０は、各原稿の画像を個別に読み取るようにしている。したがって、図１（ｃ）の配置では、画像読取装置１０が１つの画像データを生成するのに対して、図１の（ｄ）の配置では、画像読取装置１０が各原稿の画像に対応した４つの画像データを生成する。
【００４５】
原稿台１に載置されている原稿の枚数、及びその載置状態は、原稿を検出する複数のセンサの検出状況に基づいて判断する。図２は各センサの設置例を示す模式図である。本実施の形態では２種類のセンサを利用する。１つは、原稿のサイズを検知する原稿サイズ検出センサＰ１〜Ｐ４であり、それぞれが原稿台１の上端、左端、下端、右端に設置されている。もう１つは、直上の原稿の有無を検出する原稿検出センサＳ１〜Ｓ４である。原稿検出センサＳ１，Ｓ３は共に原稿台１の左右の中心線上に設置されており、原稿検出センサＳ１は上から１／４の位置、原稿検出センサＳ３は上から３／４の位置に配置されている。また、原稿検出センサＳ２，Ｓ４は共に原稿台１の上下の中心線上に設置されており、原稿検出センサＳ２は左から１／４の位置、原稿検出センサＳ４は左から３／４の位置に配置されている。原稿サイズ検出センサＰ１〜Ｐ４及び原稿検出センサＳ１としては光学式の既知のセンサを利用することができる。
【００４６】
図３〜図６は画像読取装置１０による原稿の検出例を説明する模式図である。図３（ａ）の模式図は、１枚の原稿が原稿台１の左上隅に載置されている様子を示している。このとき、原稿検出センサＳ２がオンとなり、他の原稿検出センサＳ１，Ｓ３，Ｓ４はオフとなる。また、原稿サイズ検出センサＰ１及びＰ２の出力に基づいて、載置された原稿がエリアＸ１及びエリアＹ１の共通領域、並びにエリアＸ１及びエリアＹ２の共通領域に存在することが検出される（図３（ｂ）参照）。なお、図３（ｂ）の表は、原稿が存在する場合を「○」、原稿が存在しない場合を「×」により表している。
【００４７】
図４（ａ）の模式図は、１枚の原稿が原稿台１の左上隅に載置されており、もう１枚の原稿が原稿台１の右上隅に載置されている様子を示している。このとき、原稿検出センサＳ２及びＳ４がオンとなり、他の原稿検出センサＳ１，Ｓ３がオフとなる。また、原稿サイズ検出センサＰ１,Ｐ２,Ｐ４の出力に基づいて、エリアＸ１及びエリアＹ１の共通領域、並びにエリアＸ１及びエリアＹ２の共通領域に原稿が存在し、エリアＸ２及びエリアＹ１の共通領域、並びにエリアＸ２及びエリアＹ２の共通領域に原稿が存在することが検出される（図４（ｂ）参照）。したがって、２枚の原稿が左右に隔てられた状態で原稿台１に載置されていることを検出することができる。
【００４８】
図５（ａ）の模式図は、４枚の原稿がそれぞれ原稿台１の４隅を利用して載置されている様子を示している。このとき、原稿検出センサＳ１〜Ｓ４がオフとなる。また、原稿サイズ検出センサＰ１〜Ｐ４の出力に基づいて、エリアＸ１及びエリアＹ１の共通領域、エリアＸ１及びエリアＹ２の共通領域、エリアＸ２及びエリアＹ１の共通領域、及びエリアＸ２及びエリアＹ２の共通領域のすべてに原稿が存在することが検出される（図５（ｂ））。したがって、４枚の原稿が左右上下に隔てられた状態で原稿台１に載置されていることを検出することができる。
【００４９】
図６（ａ）の模式図は、３枚の原稿が原稿台１の右下隅以外を利用して載置されている様子を示している。このとき、原稿検出センサＳ１〜Ｓ４がオフとなるのは図５に示した場合と同様である。また、原稿サイズ検出センサＰ１〜Ｐ４の出力に基づいて、エリアＸ１及びエリアＹ１の共通領、エリアＸ１及びエリアＹ２の共通領域、エリアＸ２及びエリアＹ１の共通領域に原稿が存在することが検出される（図６（ｂ））。したがって、原稿台１の右下の領域以外に、３枚の原稿が左右上下に隔てられた状態で載置されていることを検出することができる。
【００５０】
このように本実施の形態では、原稿検出センサＳ１〜Ｓ４及び原稿サイズ検出センサＰ１〜Ｐ４を組み合わせて使用することにより、原稿台１に載置されている原稿枚数の情報、及び原稿の載置状況に関する情報を容易に取得することができる。
【００５１】
図７は本実施の形態に係るデジタル複合機の制御系の構成を示すブロック図である。本実施の形態に係るデジタル複合機は、前述したように画像読取装置１０と画像記録装置２０とを備えている。画像読取装置１０は、制御部１１、原稿読取部１２、画像メモリ１３、記憶部１４、操作部１５、原稿検出センサＳ１〜Ｓ４、原稿サイズ検出センサＰ１〜Ｐ４を備えている。また、画像記録装置２０は、画像記録部２１、ファイル生成部２２を備えている。
【００５２】
制御部１１は、ＣＰＵ及びＲＯＭを備えており、ＲＯＭに予め格納された制御プログラムをＣＰＵが実行することにより、前述したハードウェア各部の制御を行い、装置全体を本発明に係る画像読取装置及び画像記録装置として動作させる。
【００５３】
原稿読取部１２は、読取対象の原稿が載置されるガラス製の原稿台１、原稿台１に載置された原稿に光を照射する光源、ＣＣＤ（Charge Coupled Device）等を利用したイメージセンサ、ＡＤ変換器等を備えており、所定の読取り位置にセットされた原稿の画像をイメージセンサに結像させてアナログ電気信号に変換し、得られたアナログ電気信号をＡＤ変換器によりＡＤ変換する。そして、原稿読取部１２は、ＡＤ変換して得られたデジタル信号に対して原稿読取時の光源の配向特性、イメージセンサの感度ムラ等の補正を施すことによりページ単位の画像データを生成する。
【００５４】
画像メモリ１３は、原稿読取部１２が生成したページ単位の画像データを一時的に記憶する。画像メモリ１３に記憶された画像データは、制御部１１からの指示によって読出され、制御部１１が指示する転送先へ転送される。すなわち、用紙、ＯＨＰフィルム等のシート（以下、単に用紙という）に画像を記録させて出力処理を完成させる場合には、画像記録装置２０の画像記録部２１へ転送され、ＰＤＦ（Portable Document Format）、ＴＩＦＦ（Tag Image File Format）、ＪＰＥＧ（Joint Photographic Experts Group）等のファイルを生成して出力処理を完成させる場合にはファイル生成部２２へ転送される。
【００５５】
記憶部１４は、揮発性又は不揮発性の半導体メモリである。記憶部１４が記憶する情報としては、前述した制御プログラムが生成する一時的なデータ、操作部１５を通じて入力される各種の設定値等である。本実施の形態では、原稿の読取り順序に関する設定、読取った画像の出力方式に関する設定を受付けるようにしており、操作部１５を通じてこれらの設定がされた場合、記憶部１４に記憶するようにしている。
【００５６】
操作部１５は、例えば、タッチパネル方式の操作パネルであり、利用者の操作指示を受付ける入力部と、利用者に対して報知すべき情報を表示する表示部とを備えている。入力部は、利用者からの操作指示を受付けるための各種操作ボタンを備えており、プリント枚数、コピー濃度等の各機能における設定値、各機能の切替え操作、各処理に対する実行開始指示の他、前述した原稿の読取り順序に関する設定値、読取った画像の出力方式に関する設定を受付けるようにしている。表示部は、液晶ディスプレイを備えており、装置の動作状況、入力部を通じて入力された各種の設定値、利用者に対して報知すべき情報等を表示する。
【００５７】
原稿検出センサＳ１〜Ｓ４は及び原稿サイズ検出センサＰ１〜Ｐ４は、前述したように原稿台１に載置された原稿を載置するためのセンサであり、例えば、原稿を検出したセンサＳ１（又はＳ２〜Ｓ４，Ｐ１〜Ｐ４）は制御部１１に対してオン信号を出力するように構成されている。制御部１１は、各原稿検出センサＳ１〜Ｓ４及び原稿サイズ検出センサＰ１〜Ｐ４の検出状況を調べることにより、原稿台１に載置されている原稿の枚数、及びそれらの配置関係を把握することができる。
【００５８】
画像記録部２１は、画像メモリ１３から転送されてくる画像データに基づいて用紙上に画像の記録を行う。そのため、画像記録部２１は、感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（不図示）を備えており、電子写真方式にて利用者が所望する画像を用紙上に記録する。なお、レーザ書込装置を用いた電子写真方式の他、インクジェット方式、熱転写方式、昇華方式等を用いる構成であってもよい。
【００５９】
ファイル生成部２２は、画像メモリ１３から転送されてくる画像データに基づいて原稿の画像を含んだ画像ファイルを生成する。生成する画像ファイルとしては、ＰＤＦファイル、ＴＩＦＦファイル、ＪＰＥＧファイル等が挙げられる。そのため、ファイル生成部２２は、画像データからこれらのファイルを生成する変換用のコーデックを備えている。
【００６０】
以上のような構成のデジタル複合機を用いて原稿の読取処理、及び読取った画像に基づく出力処理を実行する際の動作について説明する。図８はデジタル複合機が実行する処理の手順を説明するフローチャートである。デジタル複合機の制御部１１がセンサ出力を取得した場合（ステップＳ１１）、すなわち、原稿検出センサＳ１〜Ｓ４又は原稿サイズ検出センサＰ１〜Ｐ４の何れかから出力されたオン信号が制御部１１に入力された場合、制御部１１は各センサＳ１〜Ｓ４，Ｐ１〜Ｐ４の検出状況に基づいて原稿台１に載置された原稿の枚数をカウントする（ステップＳ１２）。
【００６１】
原稿枚数をカウントした後、制御部１１は、複数枚の原稿が原稿台１に載置されているか否かを判断する（ステップＳ１３）。複数枚の原稿が原稿台１に載置されていると判断した場合（Ｓ１３：ＹＥＳ）、制御部１１は、原稿の読取り順序の設定を行う（ステップＳ１４）。
【００６２】
図９は読取り順序の設定処理を説明するフローチャートである。読取り順序の設定処理では、まず、後に実行する出力処理が同一用紙への片面出力であるか否かを判断する（ステップＳ２１）。同一用紙への片面出力であると判断した場合（Ｓ２１：ＹＥＳ）、現時点の原稿配置を読取り順序する（ステップＳ２２）。このステップにて設定された読取り順序は、記憶部１４に記憶される。一方、同一用紙への片面出力でないと判断した場合（Ｓ２１：ＮＯ）、操作部１５を通じて利用者により読取り順序が設定されたか否かを判断する（ステップＳ２３）。読取り順序が利用者によって設定されたと判断した場合（Ｓ２３：ＹＥＳ）、利用者の設定を読取り順序とする（ステップＳ２４）。このステップにて設定された読取り順序は記憶部１４に記憶される。読取り順序が利用者によって設定されていないと判断した場合（Ｓ２３：ＮＯ）、制御部１１は、記憶部１４に記憶されている情報を確認することにより、前回の設定値があるか否かを判断する（ステップＳ２５）。前回の設定値があると判断した場合（Ｓ２５：ＹＥＳ）、前回の設定値を読取り順序とする（ステップＳ２６）。記憶部１４に記憶されている前回の設定値が存在しないと判断した場合（Ｓ２５：ＮＯ）、制御部１１は、読取り順序の設定値を予め定められた読取り順序（例えば、原稿台１の左上隅を起点とする時計回り）とする（ステップＳ２７）。このステップで設定された読取り順序は記憶部１４に記憶される。
【００６３】
説明を図８のフローチャートへ戻す。制御部１１が読取り順序の設定を行った後、設定した読取り順序に従って原稿の読取りを行う（ステップＳ１５）。すなわち、制御部１１は、読取り対象の原稿を原稿読取部１２にて走査し、その原稿の画像データを取得する。次いで、制御部１１は、全ての原稿の読取りが完了したか否かを判断する（ステップＳ１６）。制御部１１はステップＳ１２において原稿枚数をカウントしているため、読取処理が完了した回数をカウントすることにより、全原稿の読取りが完了したか否かを判断することができる。全原稿の読取処理が完了していないと判断した場合（Ｓ１６：ＮＯ）、制御部１１は、処理をステップＳ１５へ戻し、原稿の読取処理を続行する。
【００６４】
全原稿の読取処理が完了したと判断した場合（Ｓ１６：ＹＥＳ）、制御部１１は、出力方式の設定を行う（ステップＳ１７）。図１０は出力方式の設定処理を説明するフローチャートである。出力方式の設定処理では、まず、操作部１５を通じて利用者により出力方式が設定されたか否かを判断する（ステップＳ３１）。出力方式が利用者によって設定されたと判断した場合（Ｓ３１：ＹＥＳ）、利用者の設定を出力方式とする（ステップＳ３２）。このステップにて設定された出力方式は記憶部１４に記憶される。出力方式が利用者によって設定されていないと判断した場合（Ｓ３１：ＮＯ）、制御部１１は、記憶部１４に記憶されている情報を確認することにより、前回の設定値があるか否かを判断する（ステップＳ３３）。前回の設定値があると判断した場合（Ｓ３３：ＹＥＳ）、前回の設定値を出力方式とする（ステップＳ３４）。記憶部１４に記憶されている前回の設定値が存在しないと判断した場合（Ｓ３３：ＮＯ）、制御部１１は、出力方式の設定値を予め定められた出力方式（例えば、同一用紙への片面出力）とする（ステップＳ３５）。このステップで設定された出力方式は記憶部１４に記憶される。
【００６５】
説明を図８のフローチャートへ戻す。制御部１１が出力方式の設定を行った後、設定した出力方式に従って出力処理を実行する（ステップＳ１８）。また、ステップＳ１２でカウントした原稿枚数を基に原稿台１に載置されている原稿が複数でないと判断した場合（Ｓ１３：ＮＯ）、制御部１１は、原稿読取部１２を制御して通常の原稿の読取りを行い（ステップＳ１９）、出力処理を実行する（Ｓ１８）。
【００６６】
図８に示したフローチャートでは、複数の原稿が原稿台１に載置されている場合、原稿の読取処理を複数回だけ繰り返して全原稿の画像を読取る構成としたが、原稿台１の読取面の全領域を一度に走査し、画像処理によって各原稿の画像を切り出す構成としてもよい。各原稿の画像を切り出す手法としては既存の手法を用いることができる。なお、この場合であっても、原稿台１の周縁部と各原稿の端部とを合わせて載置するようにしているため、傾いた状態で原稿が載置される可能性が少なく、スキュー補正等を省略することが可能となり、ＣＰＵ資源を占有することがなくなる。
【００６７】
図１１はデジタル複合機が実行する出力処理の一例を説明する説明図である。図１１に示す処理は、原稿台１に複数の原稿が載置され、各原稿の画像をそれぞれ個別の画像として読取った場合に行う出力処理の一例を示している。本実施の形態では、同一用紙への片面印刷、ページ毎の片面印刷、ページ毎の両面印刷、複数頁の画像ファイルの生成を行えるようにしている。デフォルトの設定では、例えば、ページ毎の片面印刷を実行することとしておき、操作部１５を通じて新たな設定を受付けた場合、その設定による出力処理を実行するようにしている。
【００６８】
なお、本実施の形態では、４つの原稿検出センサＳ１〜Ｓ４、及び４つの原稿サイズ検出センサＰ１〜Ｐ４を使用して原稿台１に載置された原稿の枚数、配置状態を検出する構成としたが、使用するセンサの個数はこれらに限定されるものではない。また、必ずしも２種類のセンサを使用する必要はなく、１種類のセンサ（例えば、原稿検出センサ）のみを使用して原稿の枚数、その配置状態を検出する構成としてもよい。
【図面の簡単な説明】
【００６９】
【図１】スキャナ機能を利用して複数の原稿を読み取る際の原稿の配置例を説明する模式図である。
【図２】各センサの設置例を示す模式図である。
【図３】画像読取装置による原稿の検出例を説明する模式図である。
【図４】画像読取装置による原稿の検出例を説明する模式図である。
【図５】画像読取装置による原稿の検出例を説明する模式図である。
【図６】画像読取装置による原稿の検出例を説明する模式図である。
【図７】本実施の形態に係るデジタル複合機の制御系の構成を示すブロック図である。
【図８】デジタル複合機が実行する処理の手順を説明するフローチャートである。
【図９】読取り順序の設定処理を説明するフローチャートである。
【図１０】出力方式の設定処理を説明するフローチャートである。
【図１１】デジタル複合機が実行する出力処理の一例を説明する説明図である。
【符号の説明】
【００７０】
１０  画像読取装置
１１  制御部
１２  画像読取部
１３  画像メモリ
１４  記憶部
２０  画像記録装置
２１  画像記録部
２２  ファイル生成部
Ｐ１〜Ｐ４  原稿サイズ検出センサ
Ｓ１〜Ｓ４  原稿検出センサ
【図１】
2007013468.tif 000003
【図２】
2007013468.tif 000004
【図３】
2007013468.tif 000005
【図４】
2007013468.tif 000006
【図５】
2007013468.tif 000007
【図６】
2007013468.tif 000008
【図７】
2007013468.tif 000009
【図８】
2007013468.tif 000010
【図９】
2007013468.tif 000011
【図１０】
2007013468.tif 000012
【図１１】
2007013468.tif 000013